(57)【要約】【課題】  本発明は、電力系統が同一の充電所を、まとめて同一の充電所とみなして処理することにより、移動体に電力供給可能な充電所の検索効率を向上することにある。【解決手段】  移動体に電力供給可能な充電所を検索する際、電力系統が同一の充電所を、まとめて同一の充電所とみなして処理することで、検索効率を向上する。検索の際、電力系統の電力供給の安定性を条件として指定可能とすることで、電力供給が不安定な充電所の紹介を回避することができる。検索の際、充電口の空き状況により絞り込むことで、充電口の空きがなく充電不可能な充電所の紹介を回避することができる。【選択図】  図８
2011229349.tif 000002
【特許請求の範囲】
【請求項１】
演算処理手段と、記憶手段と、を有する情報処理装置を利用して、移動体に電力供給可能な充電所を特定する電力供給能力仲介方法であって、
前記記憶手段に、
充電所を識別する充電所ＩＤと当該充電所ＩＤが示す充電所が存在する電力系統を識別する電力系統ＩＤを対応付けた対応表からなる充電所情報と、
前記電力系統ＩＤと、当該電力系統ＩＤが示す電力系統における電力供給の安定性を表す安定供給指数を対応付けた対応表からなる供給成績情報と、
移動体ＩＤと、当該移動体ＩＤが示す移動体で要求される安定供給指数を対応付けた対応表からなる移動体情報と
を記憶し、
前記演算処理手段が、
前記移動体から移動体ＩＤを含む充電所の紹介要求を受付け、
受付けられた前記移動体ＩＤに応じた安定供給指数を前記移動体情報から特定し、
特定された前記安定供給指数を充足する安定供給指数に対応する電力系統ＩＤを、前記供給成績情報から特定し、
特定された前記電力系統ＩＤに対応する充電所を、前記充電所情報から特定することを特徴とする電力供給能力仲介方法。
【請求項２】
請求項１に記載の電力供給能力仲介方法であって、
前記演算処理手段が、特定された前記充電所ＩＤを含む充電所情報を前記移動体に送信することを特徴とする電力供給能力仲介方法。
【請求項３】
請求項２に記載の電力供給能力仲介方法において、
前記演算処理手段は、
前記送信に応じて、前記移動体において選択された充電所ＩＤと当該移動体の移動体ＩＤを受信し、
前記選択された充電所ＩＤに対応する電力系統ＩＤを前記充電所情報から特定し、
前記記憶手段に、前記選択された充電所から充電を開始したことを受信した場合、当該充電所の利用状況前記移動体ＩＤと、選択された充電所を示す充電所ＩＤと、当該充電所ＩＤが示す充電所が存在する電力系統を識別する電力系統ＩＤとを対応付けた対応表からなる受付情報を記憶し、
前記充電を終了した場合、前記充電所から当該充電所を識別する充電所ＩＤ、または前記移動体から当該移動体を識別する移動体ＩＤを受信し、
受信した前記充電所ＩＤまたは前記移動体ＩＤに対応する利用状況を充電終了と変更することを特徴とする電力供給能力仲介方法。
【請求項４】
請求項３に記載の電力供給能力仲介方法であって、
前記記憶手段に、
前記電力系統ＩＤと、当該電力系統ＩＤに対応する充電所ＩＤが示す充電所が具備している充電設備の合計数量を対応付けた対応表からなる電力系統情報を記憶しておき、
前記演算処理手段は、
前記選択された充電所から充電を開始したことを受信した場合、前記電力系統ＩＤに対応する充電設備数に対応する空き充電設備数を前記電力系統情報から特定して、特定された空き充電設備数から１減算して当該空き充電設備数を対応する電力系統ＩＤと対応付けて記憶することを特徴とする電力供給能力仲介方法。
【請求項５】
請求項４に記載の電力供給能力仲介方法において、
前記演算処理手段は、前記電力系統ＩＤの特定を、前記空き充電設備数が１以上である電力系統ＩＤ特定することを特徴とする電力供給能力仲介方法。
【請求項６】
請求項４または５のいずれかに記載の電力供給能力仲介方法において、
前記充電設備は、充電口数であることを特徴とする電力供給能力仲介方法。
【請求項７】
請求項１乃至６のいずれかに記載の電力供給仲介方法において、
前記電力系統ＩＤの特定は、特定された前記安定供給指数より大きな値を示す安定供給指数を前記充足する安定供給指数として特定することを特徴とする電力供給仲介方法。
【請求項８】
請求項１乃至７のいずれかに記載の電力供給能力仲介方法を実行する情報処理装置であることを特徴とする電力供給能力仲介装置。
【請求項９】
請求項８に記載の電力供給能力仲介装置と、電力供給を行う充電所の情報を送信する充電所装置からなることを特徴とする電力供給能力仲介システム。
【発明の詳細な説明】
【技術分野】
【０００１】
本発明は、移動体もしくは移動可能な物品のように移動して充電が可能なもの(以下、移動体)に対して電力を供給可能な充電所の仲介する装置及び方法に関し、特に、商用でない私用の乱立充電所を仲介するものや、マイクログリッドのような不安定な自営の電力系統などを仲介するものに関する。
【背景技術】
【０００２】
近年、環境保全の観点から、電気自動車の利用促進が期待されている。電気自動車を普及させるためには充電設備の拡充が必要であるが、ガソリンスタンドのように充電設備のみで売上げが確保できないため、充電専門の店舗は少ない。この課題に対応するために、コンビニエンスストアや駐車場などが、充電設備を併設する形で提供する、小規模の充電施設が徐々に増えている。
【０００３】
しかし、このような店舗や駐車場などに併設する充電設備は、専門の店舗に比べて探すのが厄介である。
【０００４】
そこで特許文献１では、充電ステーションに関する情報を含んだ道路地図データに基づいて、車載充電地の補充電を考慮した目的地までの誘導経路を検索する装置が開示されている。
【先行技術文献】
【特許文献】
【０００５】
【特許文献１】特開平１０−１７０２９３号公報
【発明の概要】
【発明が解決しようとする課題】
【０００６】
しかし、背景技術は小規模充電設備が乱立すると検索結果が多数となるため、検索する回数が膨大になり非効率である。また、マイクログリッドのように電力系統が安定しない自営線に接続する充電施設では、充電できない可能性がある。
【０００７】
そこで、本発明では、マイクログリッドのような充電施設においても充電を可能にすることを目的とする。より詳細には、検索する回数を減少させ、効率を向上する方法及び装置を提供することにある。また、他の目的として、電力系統の不安定な充電所を紹介するリスクを軽減する方法及び装置を提供することにある。
【課題を解決するための手段】
【０００８】
上記課題を解決するために、本発明は、電力系統毎に、充電所を含む充電に関するデータを管理する。また、充電所の検索において、電力系統が同一の充電所をまとめて(グループ化して)検索対象とした検索を行う。また、本発明には、検索の際、各電力系統のいわゆる安定性を考慮した検索を実行する。より詳細な以下の態様も本発明に含まれる。演算処理手段と、記憶手段と、電子タグ読み書き手段と、を有する情報処理装置において、演算処理手段と、記憶手段と、を有する情報処理装置において、移動体に電力供給可能な充電所を紹介する電力供給能力仲介方法であって、記憶手段が、１以上の充電所の電力系統を表す充電所情報である、１以上の充電所ＩＤと電力系統ＩＤの対応表と、充電所が具備している充電設備の情報を同一電力で合計した電力系統情報である、１以上の電力系統ＩＤと電力設備の合計数量の対応表と、電力系統の電力供給の安定性を表す供給成績情報である、１以上の電力系統ＩＤと安定供給指数の対応表を記憶する処理と、必要に応じて、移動体が要求する電力供給の安定性を表す移動体情報である、移動体ＩＤと安定供給指数の対応表を記憶する処理と、必要に応じて、移動体によらない電力供給の安定性を表す供給安定性情報である、安定供給指数を記憶する処理と、アクセス情報管理手段が移動体から移動体ＩＤを受け取り、移動体情報管理手段に受け渡す処理と、移動体情報処理管理手段が、前記移動体ＩＤに応じた安定供給指数と、前記移動体によらない安定供給指数と、のいずれかを前記移動体情報と、前記供給安定性情報と、のいずれか参照し、当該安定供給指数を、施設情報管理手段に受け渡す処理と、施設情報管理手段が、前記安定供給指数に対応する電力系統を、前記供給成績情報を参照し、当該電力系統ＩＤのリスト取得する処理と、施設情報管理手段が、前記電力系統ＩＤのリストに対応する充電所を、前記充電所情報を参照し、当該充電所ＩＤのリストを取得する処理と、を有することを特徴とする第１の電力供給能力仲介方法を提供することができる。
【０００９】
また、本発明は、移動体に電力供給可能な充電所を紹介する第１の電力供給能力仲介方法であって、施設情報管理手段が、取得した充電所ＩＤのリストをアクセス管理手段に受け渡す処理と、アクセス管理手段が、前記充電所ＩＤのリストを移動体に通知し、移動体において選択された充電所ＩＤと移動体ＩＤを受信し、充電所ＩＤに対応する電力系統ＩＤを充電所情報より取得し、充電所の利用状況を表す受付情報である、前記移動体ＩＤと前記充電所ＩＤと利用状況と電力系統ＩＤの対応表を記憶する処理と、アクセス管理手段が、充電を終了した前記充電所から充電所ＩＤを、または前記移動体から移動体ＩＤを受信し、前記受付情報の充電所ＩＤ、または移動体ＩＤに対応する利用状況を充電終了と変更する処理と、を有することを特徴とする、第２の電力供給能力仲介方法を提供することにある。
【００１０】
また、本発明は、移動体に電力供給可能な充電所を紹介する第１の電力供給能力仲介方法であって、移動体に電力供給可能な充電所を紹介する請求項２に記載の電力供給能力仲介方法であって、施設情報管理手段が、前記安定供給指数に対応する電力系統を、前記供給成績情報を参照し、当該電力系統ＩＤのリスト取得する処理に加えて、当該電力系統ＩＤに対応する充電口数を電力系統情報から取得する処理と、施設情報管理手段が、前記電力系統ＩＤと充電口数の対応表を取得し、当該対応表の全ての電力系統ＩＤに対し、利用状況が充電終了でないレコード数を前記移動体ＩＤと充電所ＩＤと利用状況と電力系統ＩＤの対応表から算出し、前記電力系統ＩＤと充電口数の対応表の充電口数から当該レコード数を減算した値が１以上であるレコードの電力系統ＩＤのリストを取得する処理と、を有することを特徴とする、第３の電力供給能力仲介方法を提供することにある。
【００１１】
その他、本願が開示する課題、およびその解決手段は、発明を実施するための最良の形態の欄、および図面により明らかになる。
【発明の効果】
【００１２】
本発明によれば、移動体もしくは移動可能な物品対して電力供給可能な充電所の検索効率を向上する方法及び装置を提供できる。
【図面の簡単な説明】
【００１３】
【図１】本発明の実施形態に関する電力供給能力仲介装置のハードウェア構成図である。
【図２】本発明の実施形態に関する記憶装置が保持するプログラムおよびテーブルの構成図である。
【図３】本発明の実施形態に関する充電所情報テーブルの一例である。
【図４】本発明の実施形態に関する電力系統情報テーブルの一例である。
【図５】本発明の実施形態に関する移動体情報テーブルの一例である。
【図６】本発明の実施形態に関する受付情報テーブルの一例である。
【図７】本発明の実施形態に関する供給成績情報テーブルの一例である。
【図８】本発明の実施形態に関する電力供給能力仲介処理の処理フローである。
【図９】本発明の実施形態に関する作業テーブルＡの一例である。
【図１０】本発明の実施形態に関する作業テーブルＢの一例である。
【図１１】本発明の実施形態に関する作業テーブルＡの一例である。
【図１２】本発明の実施形態に関する作業テーブルＡの一例である。
【図１３】本発明の実施形態に関する作業テーブルＡの一例である。
【図１４】本発明の実施形態に関する作業テーブルＣの一例である。
【発明を実施するための形態】
【００１４】
以下、図面を参照しつつ、本発明を実施するための最良の形態などについて説明する。
【００１５】
図１は、本発明の一実施形態を適用した製品情報管理装置のハードウェア構成図を表す。
図１の充電所３０００は主に商用の電気自動車充電ステーションのほか、商用パーキング、店舗・オフィース・住宅に併設の駐車場などに設置される充電設備である。なお、本発明では充電所３０００に電力を供給するのは、電力会社が提供する商用電力系統のみでなく、一つ乃至複数の供給家と一つ乃至複数の需要家の間で自営線を通し電力の需給を行うマイクログリッドと呼ばれる非商用電力系統も含む。  移動体２０００は、電気自動車など充電を必要とする移動体である。
【００１６】
電力供給能力仲介装置１０００は、一つ乃至複数の移動体２０００の充電要求と一つ乃至複数の充電所３０００の電力供給を仲介するためのハードウェアおよびソフトウェアで構成され、記憶装置１１００、中央処理装置１４００、通信装置１５００、入出力装置１７００、表示装置１８００、入力装置１９００で構成される。これらの各装置はそれぞれ通信インタフェースを備え、図1に示すように各装置と接続されている。
【００１７】
通信網９０００は、イントラネットおよびインターネット等の通信ネットワークであり、電力供給能力仲介装置１０００、移動体２０００、充電所３０００と接続し、相互の通信を行う。
【００１８】
以下、上記の各装置について説明する。
記憶装置１１００は、ハードディスクドライブなどで構成され、製品情報の管理のためのプログラムファイル、および製品情報を格納するデータベースなどを保持する。このプログラムとデータベースの詳細については後述する。
【００１９】
中央処理装置１４００は演算処理を行う際に用いられる記憶手段としてのメモリと、前記演算処理を行う演算処理装置とを少なくとも備える。演算処理は、CPU（Central Processing Unit）によって構成される演算処理装置が、メモリ上に展開された記憶装置１１００のプログラムを実行することで実現される。その際、プログラムに従って記憶装置１１００のデータベースに格納されている情報を検索・参照し、それらを用いて演算を行い、演算結果をまたデータベースに格納・更新する。また、通信装置１５００、入出力装置１７００に対する制御命令の送信、および通信装置１５００、入出力装置１７００が取得した情報の受信、その情報を用いた演算を行う。
【００２０】
通信装置１５００は、イントラネットおよびインターネット等の外部ネットワークとの接続を行う装置であり、通信網９０００とのインタフェースである。入出力装置１７００は、製品情報管理装置１０００を使用するユーザや他の装置とのインタフェースであるＲＦタグ読書装置１７００、表示装置１８００、入力装置１９００を束ねる装置である。中央処理装置１４００の制御命令を解釈し、各装置に対する処理の振り分けや各装置が取得した情報の加工、中央処理装置１４００への送信などを行う。表示装置１８００は、ディスプレイなどで構成され、ユーザに対する情報の表示を行う。
入力装置１９００は、キーボードやマウスなどで構成され、ユーザからの入力を受け付ける。
【００２１】
次に、記憶装置１１００が保持するプログラムと、データベースの内容について説明する。
図２に、記憶装置１１００が保持するプログラムとデータベースのテーブルを記す。この図が示すように、プログラムとして移動体情報処理部１１１０、施設情報処理部１１２０、アクセス管理部１１３０を保持する。またテーブルとして充電所情報１２１０、電力系統情報１２２０、移動体情報１２３０、受付情報１２４０、供給成績情報１２５０を保持する。
【００２２】
移動体情報処理部１１１０は、移動体２０００の航続距離や充電時間の算出を行うプログラムとして実現され、移動体情報１２３０、受付情報１２４０、供給成績情報１２５０の登録・更新、検索・参照などを行う。
【００２３】
施設情報処理部１１２０は、充電所３０００や電力系統に関する処理を行うプログラムとして実現され、充電所情報１２１０、電力系統情報１２２０、受付情報１２４０、供給成績情報１２５０の登録・更新、検索・参照などを行う。
【００２４】
アクセス管理部１１３０は、移動体２０００や充電所３０００との情報の授受を行うプログラムとして実現され、受付情報１２４０の登録・更新、検索・参照などを行う。なお、各プログラムについては、別個のプログラムでなくプログラムを構成するモジュールとして実現してもよい。
【００２５】
以上がプログラムの説明である。以下、テーブルについて説明する。なお、充電所情報１２１０、電力系統情報１２２０、移動体情報１２３０、供給成績情報１２５０がマスタ情報を保持するテーブル、その他の受付情報１２４０がトランザクション情報を保持するテーブルである。
【００２６】
充電所情報１２１０は、充電所３０００の設備に関する情報を保持するテーブルである。充電所情報１２１０のテーブル構成の例を図３に示す。一レコードが一つの充電所２０００を表し、充電所２０００を一意に特定する充電所ＩＤ１２１１、充電所３０００に供給する電力系統を表す電力系統ＩＤ１２１２、充電所の場所を表す場所１２１３、充電所３０００に設置されている充電のためのプラグ等の数を表す充電口数１２１４、充電所３０００において充電する際の単位電力量あたりの料金を表す単価１２１５、等を項目として保持する。図３中のデータ行の２行目から４行目では、充電所ＩＤ１２１１が「ＥＳ００２」、「ＥＳ００３」、「ＥＳ００４」である異なる充電所３０００に対して、電力系統ＩＤ１２１２が「ＭＧ００２」である同一の電力系統が設定されている。これは充電所ＩＤ１２１１「ＥＳ００２」、「ＥＳ００３」、「ＥＳ００４」である充電所３０００が、電力系統ＩＤ１２１２「ＭＧ００２」という同一の電力系統であることを表している。充電所情報１２１０は、充電所３０００の新規追加する際に登録され、充電所３０００の情報が変更されると更新される。
【００２７】
電力系統情報１２２０は電力系統の設備に関する情報を保持するテーブルである。電力系統情報１２２０のテーブル構成の例を、図４に示す。一レコードが一つの電力系統を表し、電力系統を一意に特定する電力系統ＩＤ１２２１、電力系統内の充電所３０００の存在する場所を表す場所１２２２、電力系統内の充電所３０００に設置されている充電のためのプラグ等の数の合計を表す充電口数１２２３、等を項目として保持する。電力系統情報１２２０は、充電所情報１２１３に電力系統ＩＤが新規追加する際に登録され、充電所情報１２１３の充電所３０００の情報が変更されると更新される。
【００２８】
移動体情報１２３０は、移動体２０００に関する情報を保持するテーブルである。移動体情報１２３０のテーブル構成の例を、図５に示す。一レコードが一つの移動体２０００を表し、移動体２０００を一意に特定する移動体ＩＤ１２３１、移動体２０００の種類・型式を一意に特定する移動体型式１２３２、移動体２０００に搭載されている電池の種類・型式を一意に特定する電池型式１２３３、充電所３０００の電力供給の安定性を示す安定供給指数の希望する上限値を表す安定供給指数１２３４、移動体２０００に対して複数の充電所３０００を紹介する場合に優先する項目を表す優先項目１２３５、等を項目として保持する。移動体情報１２３０は、電力供給能力仲介装置１０００を利用する移動体２０００が新規追加する際に登録され、移動体２０００の情報が変更されると更新される。
【００２９】
受付情報１２４０は電力供給能力仲介装置１０００が移動体２０００又は充電所３０００に対して実施した処理の履歴を保持するテーブルである。受付情報１２４０のテーブル構成の例を図６に示す。電力供給能力仲介装置１０００に対し充電所３０００の紹介を依頼した移動体を表す移動体ＩＤ１２４１、電力供給能力仲介装置１０００が移動体２０００に対し紹介した一つ乃至複数の充電所３０００の中から移動体２０００が利用する選択した充電所３０００を表す充電所ＩＤ１２４２、充電所３０００における移動体２０００の充電が成功したか否かを表す成否１２４３、移動体２０００が選択した充電所３０００において充電を開始した時の移動体２０００の充電池の容量を表す開始時容量１２４４、移動体２０００が選択した充電所３０００において充電を終了した時の移動体２０００の充電池の容量を表す終了時容量１２４５、移動体２０００が選択した充電所３０００において充電を開始した日時を表す開始日時１２４６、移動体２０００が選択した充電所３０００において充電を終了した日時を表す終了日時１２４７、等を項目として保持する。受付情報１２４０は、電力供給能力仲介装置１０００が移動体２０００から充電所３０００の紹介の依頼を受け付けた際に登録され、移動体２０００が利用する充電所３０００を選択した際、移動体２０００が選択した充電所３０００において充電を開始した際、移動体２０００が選択した充電所３０００において充電を終了した場合などに更新される。
【００３０】
供給成績情報１２５０は、電力系統における電力供給の安定性を保持するテーブルである。供給成績情報１２５０のテーブル構成の例を、図７に示す。一レコードが一つの電力系統の電力供給の安定性を表し、電力系統を表す電力系統ＩＤ１２５１、電力系統における電力供給の安定性を表す安定供給指数１２５２、等を項目として保持する。安定供給指数１２５２とは、電力系統における電力供給の安定性を示すものであり、数値が小さいほど安定性が高いものとする。安定供給指数１２５２の具体的な例としては、充電に失敗する回数の割合や単位電力量を供給するために要する時間で表すなど、充電時の電力の安定度に左右される値であれば良い。前記充電に失敗する回数の割合は受付情報１２４０の成否１２４３より充電所３０００における充電の成功・失敗が判明するため、当該成否をもとに充電所３０００又は電力系統毎に充電に失敗する割合を算出することができる。また、前記単位電力量を供給するために要する時間は、受付情報１２４０より算出することができる。例えば、図６のデータ行１行目では、充電所３０００「ＥＳ００１」において移動体２０００「０００００１」の充電池を開始時容量１２４４「３０」から終了時容量１２４５「１００」まで充電するのに「１０分」要していることを示している。また、図５のデータ行１行目より、移動体ＩＤ１２３１「０００００１」の電池型式１２３３は「ＨＴ００１」であるため、当該電池を容量「３０」から「１００」まで充電するために必要な電力量は一般的に利用されている充電特性などより明らかであるため、当該電池の充電に要した時間「１０分」を充電に要した当該電気量で除算すれば単位電力量あたりの充電時間が算出される。
【００３１】
なお、安定供給指数１２５２は同一電力系統であれば異なる充電所３０００でも同一であるので、安定供給指数１２５２は電力系統毎に管理する。図７の例では、安定供給指数１２５２は一つの電力系統に付き一つで表されるが、項目として時間帯、平日・休日等を区別する日付区分等を追加すれば、時間帯や平日・休日によって異なる安定供給指数１２５２を設定することが可能となり、より詳細に定義することが可能である。
【００３２】
以下、電力供給能力仲介における処理フローについて説明する。
図３〜図７のテーブルのデータを例として、図８のフローチャートを用いて、電力供給能力仲介における処理フローを具体的に説明する。
【００３３】
まず、ステップ１０１００では、アクセス管理部１１３０が移動体２０００より充電所３０００の紹介要求を受け付け、当該移動体２０００より移動体ＩＤを取得する。移動体ＩＤの正当性はパスワード認証、ハードウェア認証、証書認証などの認証方法によって担保することが望ましい。ここでは、移動体ＩＤとして「０００００３」を取得したものとし、受付情報１２４０のデータ行の５行目として移動体ＩＤ１２４１を追加したものが図６である。なお、移動体ＩＤと共に、移動体２０００の電池の残容量、現在地、目的地までのルート情報などを取得しても良い。なお、本ステップでは、移動体２０００から紹介要求を受付けているが、移動体２０００に設置もしくは接続された情報処理装置(図示せず)であってもよいし、さらに移動体２０００の移動体ＩＤを送信可能な装置であれば構わない。これらの場合、情報処理装置は通信網９０００に接続され、移動体２０００は通信網９０００に接続されなくとも構わない。また、情報処理装置は、移動体２０００の各種情報の取得が可能であることが好適である。
【００３４】
次に、ステップ１０２００では、移動体情報処理部１１１０は移動体ＩＤを条件として移動体情報１２３０から安定供給指数を取得する。図５の例では移動体情報１２３０から移動体ＩＤ１２３１が「０００００３」に該当するデータ行３行目の安定供給指数１２３４「１５」を取得する。更に、施設情報処理部１１２０は安定供給指数を条件に供給成績情報を絞り込む。図７の例では、供給成績情報１２５０から安定供給指数１２５２が前記取得した安定供給指数「１５」を超えないもののリストを取得する。ここでは、各レコードにおいて安定供給指数１２５２が「１５」を超えないことから、各レコードがリストとして取得され、取得される供給成績情報１２５０のリストも図７と同様(例えば同一)になる。なお、供給成績情報を絞り込む条件として、移動体２０００の現在地から電力系統までの距離や航続距離、目的地までのルートからの距離を利用しても良い。
【００３５】
次に、ステップ１０３００では、施設情報処理部１１２０はステップ１０２００で絞り込んだ供給成績情報１２５０のリストに対し電力系統情報１２２０より電力系統ＩＤを条件に充電口数の項目を取得し連結した作業テーブルＡ１３１０を取得する。ステップ１０２００で取得したリスト図７の例では、データ行１行目の電力系統ＩＤ１２５１「ＭＧ００１」を図４の電力系統情報１２２０の電力系統ＩＤ１２２１から検索するとデータ行１行目が該当しその充電口数１２２３「３０」を図７のデータ行１行目の充電口数の項目に追加する。同様に図７のデータ行の最後まで実施した結果である作業テーブルＡ１３１０の例を、図９に示す。更に、施設情報処理部１１２０は受付情報１２４０に対し、充電所情報１２１０より充電所ＩＤを条件に取得した電力系統の項目を取得しに連結した作業テーブルＢ１２４０を取得する。図６の受付情報１２４０の例では、データ行１行目の充電所ＩＤ１２４２「ＥＳ００１」を図３の充電所情報１２１０の充電所ＩＤ１２１１から検索するとデータ行１行目が該当し、その電力系統ＩＤ１２１２「ＭＧ００１」を図６のデータ行１行目の充電口数の項目に追加する。同様に図６のデータ行の最後まで実施した結果である作業テーブルＢ１３２０の例を図１０に示す。
【００３６】
更に、作業テーブルＡ１３１０に対し受付情報１２４０から電力系統ＩＤを条件に該当するレコード数を取得し、当該レコード数を作業項目Ａ１３１０の充電口数１３１２の項目の値から減算した値を、空き充電口数１３１３の項目に追加する。図９の作業テーブルＡ１３１０の例では、データ行１行目の電力系統ＩＤ１３１１「ＭＧ００１」を図１０の作業テーブルＢ１３２０の電力系統ＩＤ１３２８から該当するレコード数を検索すると「４」件が得られ、これを作業テーブルＡ１３１０の充電口数１３１３から減算した「０」を空き充電口数１３１４に追加する。同様に図９のデータ行の最後まで実施した結果である作業テーブルＡ１３１０の例を図１１に示す。更に、施設情報処理部１１２０は作業テーブルＡ１３１０の空き充電個数１３１４から「１」未満であるレコードは充電口に空きが無いため検索対象から削除するため、レコード削除を行う。図１１の作業テーブルＡ１３１０の例ではデータ行の１行目が削除対象となる。これを図９の作業テーブルＡ１３１０の全てのレコードで実施した作業テーブルＡ１３１０の例を図１２に示す。
【００３７】
次に、ステップ１０４００では、施設情報処理部１１２０はステップ１０３００で絞り込んだ作業テーブルＡ１３１０に対し、充電所情報１２１０より電力系統ＩＤを条件に検索し該当件数が「１」件の場合は当該レコードの充電所ＩＤ１２１１及び単価１２１５の項目を取得し連結した作業テーブルＣ１３３０を取得し、該当件数が「１」を超える場合は充電口数１２１４が最大となるレコードの充電所ＩＤ１２１１及び単価１２１５の項目を取得し連結した作業テーブルＡ１３１０を取得する。図１２の作業テーブルＡ１３１０の例では、データ行１行目の電力系統ＩＤ１３１１「ＭＧ００２」を図３の充電所情報１２１０から検索しデータ行２行目〜４行目までの「３」件が該当する。該当件数が「１」を超えるので、充電口数１２１４が最大であるデータ行４行目のレコードの充電所ＩＤ１２１１「ＥＳ００４」、単価１２１５「１１５」が取得され、作業テーブルＡ１３１０に追加される。同様に図１２のデータ行の最後まで実施した結果である作業テーブルＡ１３１０の例を、図１３に示す。ここで、前記検索結果が「１」を超える場合、充電口数１２１４が最大となるレコードを選択した例を挙げたが、単価１２１５が最低になるレコードを選択したり、充電口数１２１４の割合で検索結果のレコードをランダムに選択したり、ステップ１０３００と同様に空き充電口数を算出し最大となるものを選択したりする方法も本実施形態の一態様である。
【００３８】
次に、ステップ１０５００では、施設情報処理部１１２０はアクセス管理部１１３０を通じてステップ１０４００で絞り込んだ作業テーブルＡ１３１０の各レコードにおいて充電所ＩＤ１３１４に該当する充電所３０００に充電可否の問い合わせ処理を行い、受信した回答結果から充電可能である充電所３０００のレコードを残して、充電不可能である充電所３０００のレコードをそれぞれ削除する。図１３の作業テーブルＡ１３２０の例で、各充電所３０００が充電可能であった場合とすると、結果取得される作業テーブルＡ１３１０も図１３と同一となる。
【００３９】
次に、ステップ１０６００では、移動体情報処理部１１１０がステップ１０５００で取得した作業テーブルＡ１３１０を元に、不要な項目を削除し、必要な項目を追加し、更に項目の順序やデータの並べ替えを行う。図１３の作業テーブルＡ１３１０に行った例が、図１４の作業テーブルＣ１３３０である。これはあくまで例であり、単価の安い順に並べ替えても良いし、充電所の場所や地図情報へのリンク、距離等の項目を追加することもできる。また、移動体情報１２３０に優先項目として価格・現在地からの距離・目的地ルートからの距離・安定供給指数など並べ替えの項目を設定することにより、移動体２０００ごとにデータの並べ替えを変更することもできる。更に、アクセス管理部１１３０が作業テーブルＣ１３３０を充電所３０００の紹介データとして移動体２０００に送付する。
【００４０】
次に、ステップ１０７００では、ステップ１０６００で移動体２０００に紹介した充電所データに対する回答と移動体ＩＤと充電所ＩＤをしてアクセス管理部１１３０が取得し、移動体ＩＤを条件に受付情報１２４０を検索し、該当レコードの充電所ＩＤ１２４２を追加する。
【００４１】
次に、ステップ１０８００では、アクセス管理部１１３０が移動体２０００から充電結果として移動体ＩＤ、成否、開始時容量、終了時容量、開始日時、終了日時等の情報を移動体から受信し、移動体ＩＤを条件に受付情報１２４０を検索し、該当レコードの成否１２４３、開始時容量１２４４、終了時容量１２４５、開始日時１２４６、終了日時１２４７を追加する。前記充電結果は充電所ＩＤから受信してもよい。その場合は、移動体ＩＤの代わりに充電所ＩＤを受信し、当該項目で受付情報１２４０を検索する。
以上の処理により、移動体２０００に対し充電所３０００の紹介をすることができる。
【符号の説明】
【００４２】
１０００  電力供給能力仲介装置
１１００  記憶装置
１４００  中央処理装置
１５００  通信装置
１７００  入出力装置
１８００  表示装置
１９００  入力装置
２０００  移動体
３０００  充電所
９０００  通信網
【図１】
2011229349.tif 000003
【図２】
2011229349.tif 000004
【図３】
2011229349.tif 000005
【図４】
2011229349.tif 000006
【図５】
2011229349.tif 000007
【図６】
2011229349.tif 000008
【図７】
2011229349.tif 000009
【図８】
2011229349.tif 000010
【図９】
2011229349.tif 000011
【図１０】
2011229349.tif 000012
【図１１】
2011229349.tif 000013
【図１２】
2011229349.tif 000014
【図１３】
2011229349.tif 000015
【図１４】
2011229349.tif 000016